(57)【特許請求の範囲】
【請求項１】
遮蔽部材が垂下する枠体に設けられるガイドレールであって、
前記枠体へ設置されるガイドベースと、
前記ガイドベースに対し回動し開閉可能に連結され、前記遮蔽部材と前記枠体の隙間を遮蔽するガイドプレートと、
前記ガイドプレートが、その回動中心に対して落ち込む小径部位と、当該ガイドプレートが当接することで前記回動中心に対し乗り上げる大径部位とを備えた回動抑制部と、
を有することを特徴とするガイドレール。
【請求項２】
前記回動抑制部は、
前記ガイドプレートの回動角範囲の略中央に前記大径部位が位置するよう前記大径部位を１つだけ備えることを特徴とする請求項１記載のガイドレール。
【請求項３】
前記ガイドプレートは、
前記回動角範囲の両端位置で前記小径部位に接触することを特徴とする請求項２記載のガイドレール。
【請求項４】
前記回動抑制部は、
前記ガイドベースと前記枠体との間で挟持される保持部を備えていることを特徴とする請求項１乃至３のいずれか１項に記載のガイドレール。
【発明の詳細な説明】
【技術分野】
【０００１】
本発明は、遮蔽部材が設けられる枠体に設けられるガイドレール及びガイドレールの設置方法に関する。
【背景技術】
【０００２】
従来、遮蔽部材が設けられる枠体に設けられるガイドレールに関する技術が開示されている。例えば、特許文献１には、遮蔽部材（スラット）の両端にガイドローラを設けるとともに、枠体（額縁）にガイドローラが摺動自在に嵌合するガイドレールと遮蔽部材の両端部をのみ込む遮蔽部（スラットのみ込み部）とを有する縦フレームを設置した、ブラインド構造が開示されている。
【先行技術文献】
【特許文献】
【０００３】
【特許文献１】実開平６−８６９４号公報
【発明の概要】
【発明が解決しようとする課題】
【０００４】
上記従来技術では、遮蔽部材により日射や視線等の遮蔽を行うときに、遮蔽部材と枠体との隙間を、遮蔽部により遮蔽することができるので、上記隙間からの日射や視線等を遮蔽することができる。
【０００５】
ところで、遮蔽部材を収納方向に動かして枠体内側を開放するときに、遮蔽部を、遮蔽を行わない状態となるように動かすことができれば、枠体内側の開放スペースをより大きくして日射を多く取り込むことができる。しかし、上記従来技術では、そのように遮蔽部を非遮蔽状態となるよう動かすことについては特に考慮されておらず、したがってそのような遮蔽部を動かす際の操作性や製作誤差への対応などについてまでは検討がなされていなかった。
【０００６】
本発明の目的は、操作性がよく、枠体内側の開放スペースをより大きくすることができるガイドレール及びガイドレールの設置方法を提供することにある。
【課題を解決するための手段】
【０００７】
上記目的を達成するために、本願第１発明は、遮蔽部材が垂下する枠体に設けられるガイドレールであって、前記枠体へ設置されるガイドベースと、前記ガイドベースに対し回動し開閉可能に連結され、前記遮蔽部材と前記枠体の隙間を遮蔽するガイドプレートと、前記ガイドプレートが、その回動中心に対して落ち込む小径部位と、当該ガイドプレートが当接することで前記回動中心に対し乗り上げる大径部位とを備えた回動抑制部と、を有することを特徴とする。
【発明の効果】
【００１２】
本発明によれば、操作性がよく、枠体内側の開放スペースをより大きくすることができる。
【図面の簡単な説明】
【００１３】
【図１】本発明の一実施形態に係るガイドレールとロールスクリーンが設置された額縁の構成の概略を表す正面図である。
【図２】ガイドレールとロールスクリーンが設置された額縁の構成の概略を表す平面図である。
【図３】縦ガイド部の分解斜視図である。
【図４】非移動部の平面図である。
【図５】移動部の取り付け部の平面図である。
【図６】移動部の遮蔽部の平面図である。
【図７】縦ガイド部の斜視図であり、図７（ａ）は遮蔽部の閉状態に対応し、図７（ｂ）は遮蔽部の開状態に対応する。
【図８】回動抑制部の拡大図斜視図である。
【図９】回動抑制部と遮蔽部の連結状態の平面図である。
【図１０】遮蔽部の各回動位置を表す平面図であり、図１０（ａ）は閉状態に対応し、図１０（ｂ）は遷移状態に対応し、図１０（ｃ）は開状態に対応する。
【図１１】連結部の拡大図であり、図１１（ａ）は正面図に対応し、図１１（ｂ）は平面図に対応し、図１１（ｃ）は右側方から見た側面図に対応する。
【図１２】製作誤差が生じた場合の非移動部と連結部と移動部の連結状態を表す全体斜視図である。
【発明を実施するための形態】
【００１４】
ここで、本発明のガイドレールは、横型ブラインドや縦型ブラインド、ロールスクリーン、プリーツスクリーン、たくし上げカーテン等、様々なタイプの遮蔽装置に使用可能である。但し、以下では、本発明のガイドレールをロールスクリーンに使用した場合について説明する。
【００１５】
以下、本発明の一実施形態について図面を参照しつつ説明する。なお、図面中に注記された「前」「後」「左」「右」「上」「下」の方向は、本明細書中の説明において「前」「後」「左」「右」「上」「下」と記述される方向にそれぞれ対応する。但し、本実施形態に係るロールスクリーン及びガイドレールの各構成の位置関係は、「前」「後」「左」「右」「上」「下」の概念に限定されるものではない。
【００１６】
まず、図１、図２を参照しつつ、本実施形態に係るロールスクリーン及びガイドレールの構成の概略について説明する。図１は全体を正面から見た外観図であり、図２はその上方から見た平面図である。
【００１７】
図１、図２に示すように、窓ガラス１０を備えたサッシ（図示せず）の室内側に設けられた四角枠状の額縁１１（枠体）の内側には、ロールスクリーン１とガイドレール２０とが設置されている。なお、図１においては、図示の便宜上、ロールスクリーン１の左側の一部を切り欠いて示している。また図２においては、額縁１１の上辺を構成する上縁部１１ａの図示を省略している。
【００１８】
＜ロールスクリーンの構成＞
ロールスクリーン１は、額縁１１の上辺を構成する上縁部１１ａの内面に対しブラケット５１を介して取り付けられるヘッド部２を有する。ヘッド部２の内部には特に図示しない巻取軸が回転可能に収納されており、その一方側（図示する例の右側）の端部にスプロケット３が軸設されている。スプロケット３に係合した環状のチェーンコード４がヘッド部２から露出して垂下しており、前後に並ぶいずれかのチェーンコード４を引き下ろすことでスプロケット３及び巻取軸の前後回転を操作できる。また、適宜の遮光性を有した布地等からなるスクリーン５（遮蔽部材）の上端が巻取軸に固定されており、そこから垂下したスクリーン５の下端には適宜の重量を有する棒状のウェイトバー６が固定されている。以上の構成により、チェーンコード４を操作することで、巻取軸によるスクリーン５の巻き取りと巻き戻しを行い、すなわちスクリーン５とウェイトバー６を上下動させて額縁１１の内側における遮光と開放を操作できる。
【００１９】
＜ガイドレールの構成＞
ガイドレール２０は、上記ロールスクリーン１のウェイトバー６の端部をガイド可能なレールである。本実施形態では、ガイドレール２０は、ウェイトバー６の左右方向端部をガイド可能な２つの縦ガイド部２１，２１により構成されている。一方の縦ガイド部２１は、額縁１１の左辺を構成する左縁部１１ｂに設置され、ウェイトバー６の左端部をガイド可能となっており、他方の縦ガイド部２１は、額縁１１の右辺を構成する右縁部１１ｃに設置され、ウェイトバー６の右端部をガイド可能となっている。
【００２０】
なお、左縁部１１ｂ及び右縁部１１ｃのいずれか一方のみに対し縦ガイド部２１を設置してもよい（この場合、左縁部１１ｂ及び右縁部１１ｃのいずれか一方に設置した縦ガイド部２１により、ガイドレールが構成される）。若しくは、縦ガイド部２１を設置する代わりに、額縁１１の下辺を構成する下縁部１１ｄに対し特に図示しない横ガイド部を設置してもよい（この場合、横ガイド部によりガイドレールが構成される）。若しくは、縦ガイド部２１を設置するのに加えて、下縁部１１ｄに対し横ガイド部を設置してもよい（この場合、縦ガイド部２１及び横ガイド部により、ガイドレールが構成される）。
【００２１】
以下においては、額縁１１の右縁部１１ｃに設置される縦ガイド部２１を例に取り、その詳細な構成について説明する。なお、左縁部１１ｂに設置される縦ガイド部２１は左右対称の構造となっている。図３は縦ガイド部２１の分解斜視図である。この図３に示すように、縦ガイド部２１は、主に非移動部２２、移動部２３、連結部２４、回動抑制部２５、及び回動軸２６を有しており、概略的には上端から所定長さ分が非移動部２２により構成され、非移動部２２の下方（非移動部以外の部分）が後述する連結部２４と移動部２３により構成されている。すなわち、非移動部２２は、対応する縁部（図示する例の縦ガイド部２１では右縁部１１ｃ）のうち上端から所定長さ分に配置され、移動部２３は対応する縁部のうち非移動部２２の下方に配置され、連結部２４は非移動部２２と移動部２３の間に配置される。本実施形態では、上記所定長さ、つまり非移動部２２の長さは、スクリーン５を上限位置まで引き上げて巻き取った状態にあるヘッド部２とウェイトバー６を併せた高さ方向寸法と略同等となっている。
【００２２】
図４は、非移動部２２を上方から見た平面図（もしくは上下方向に対する直交断面図）である。この図４において、非移動部２２は、それぞれ遮光性を備えた遮光材料（この例ではアルミニウム等の金属）からなるガイドベース３１（第１ガイドベース）とガイドプレート３２（第１ガイドプレート）とを一体に有している。ガイドベース３１は、対応する縁部（この例の左縁部１１ｂ）の内面で非移動部２２の上下方向全長に渡って取り付けられる略矩形状の部材である。ガイドプレート３２は、ガイドベース３１と同じ長さで、ヘッド部２の左右方向縁部とそれに対向する左縁部１１ｂまたは右縁部１１ｃとの隙間Ｓ１を遮蔽する略矩形薄板状の部材である。図示する本実施形態の例では、ガイドプレート３２が、ガイドベース３１に対してその後方側（ヘッド部２の室外側）の縁部に略直角な略Ｌ字状の配置で固定的（一体的）に設けられている（上記図２参照）。なお、特に図示しないが、ガイドベース３１の前方側（ヘッド部２の室内側）の縁部にガイドプレート３２を配置してもよいし、後方側と前方側の両方の縁部にそれぞれガイドプレート３２を配置してもよい。
【００２３】
図５、図６は、移動部２３を構成するガイドベース３３とガイドプレート３４をそれぞれ上方から見た平面図（もしくは上下方向に対する直交断面図）である。この図５、図６において、移動部２３は、それぞれ遮光性を備えた遮光材料（この例ではアルミニウム等の金属）からなるガイドベース３３（ガイドベース、第２ガイドベース）とガイドプレート３４（ガイドプレート、第２ガイドプレート）とを互いに回動可能に連結して構成される（後述の図７、図１０参照）。図５に示すガイドベース３３は、対応する縁部の内面で移動部２３の上下方向全長に渡って取り付けられる略矩形状の部材であり、その後方側の縁部には回動軸２６を貫通させるヒンジ片３３ａが設けられている。図６に示すガイドプレート３４は、ガイドベース３３と同じ長さで、スクリーン５（及びウェイトバー６）の左右方向縁部とそれに対向する左縁部１１ｂまたは右縁部１１ｃとの隙間Ｓ２を遮蔽する略矩形薄板状の部材であり、その縁部には回動軸２６を貫通させるヒンジ片３４ａが設けられている。図示する本実施形態の例では、移動部２３のガイドプレート３４が、ガイドベース３３に対してその後方側（スクリーン５の室外側）の縁部でお互いにヒンジ片３３ａ，３４ａを上下方向に重ね合わせ、針金状の金属細線からなる回動軸２６を貫通させることで、ガイドプレート３４がその回動軸２６周りに回動可能に連結される。なお、特に図示しないが、ガイドベース３３の前方側（スクリーン５の室内側）の縁部に回動軸２６とガイドプレート３４を配置してもよいし、後方側と前方側の両方の縁部にそれぞれ回動軸２６とガイドプレート３４を配置してもよい。
【００２４】
以上のような非移動部２２と移動部２３の間を連結部２４を介して上下方向に連結することで、図７に示すような縦ガイド部２１が構成され、そのうちの移動部２２におけるガイドプレート３４のみが開閉可能となる。つまり非移動部２２においては、ガイドプレート３２がガイドベース３１に対して常に直立し、ヘッド部２の左右方向縁部とそれに対向する左縁部１１ｂまたは右縁部１１ｃとの隙間Ｓ１を常に遮蔽する。その一方で、移動部２３においては、使用者が手作業でガイドプレート３４を回動操作することにより、ガイドプレート３４がガイドベース３３に対して直立した閉状態（図７（ａ）参照）と、ガイドプレート３４がガイドベース３３と平行な開状態（図７（ｂ））に切り替えることができる。
【００２５】
図７（ａ）に示す移動部２３の閉状態では、ガイドプレート３４がスクリーン５の左右方向縁部とそれに対向する左縁部１１ｂまたは右縁部１１ｃとの隙間Ｓ１を遮蔽する。図７（ｂ）に示す移動部２３の開状態では、ガイドプレート３４が折り畳まれることでその水平方向の幅寸法分だけ額縁１１の内部が広く開放されて室内側に外光を多く取り入れることができる。なお、この移動部２３におけるガイドプレート３４の回動操作は、スクリーン５が巻き取られて上限位置まで引き上げられた状態でのみ行える。
【００２６】
＜回動抑制部の構成＞
図８は、回動抑制部２５を拡大して斜視した外観図である。この図８において、回動抑制部２５は、全体がモールド成形が容易なプラスチックなどの樹脂からなり、その中央に上記回動軸２６が貫通可能な軸穴４１を有する平板部４２と、全体が略直方体形状の保持部４３とを一体に有している。保持部４３は、その左右方向の幅が上記移動部２３のガイドベース３３の内部に挿入可能な寸法に設定されており、また図示する例では左右方向の側面に上下方向に沿った溝４４が形成されている。平板部４２は、保持部４３の後方背面側でその上下方向の略中央位置に設けられている。
【００２７】
上記図３に示すように、回動抑制部２５は、その保持部４３を移動部２３のガイドベース３３に対しその後方背面側から挿入し、当該ガイドベース３３の内部で左縁部１１ｂまたは右縁部１１ｃと挟まれて固定される。また平板部４２は、移動部２３におけるガイドベース３３とガイドプレート３４のそれぞれのヒンジ片３３ａ，３４ａの間に上下方向で挟まれて回動軸２６に貫通される。これにより、平板部４２は上下方向の位置が固定されるとともに保持部４３によって回動軸２６周りの姿勢、配置が固定される。そして、当該平板部は、後述するようにその輪郭形状によってガイドプレート３４の回動を抑制する。
【００２８】
図９は、回動抑制部２５とガイドプレート３４の連結状態を上方から見た平面図である。この図９において、回動抑制部２５の平板部４２にはその外周縁部に大径部位４５が形成されている。この大径部位４５は、回動軸２６を中心としたガイドプレート３４の最小回動半径Ｒ１（つまりヒンジ片３４ａを除くガイドプレート３４の表面のうち最も回動軸２６の中心に近い部分の回動軸２６中心からの離間距離）よりも少しだけ大きい突出半径Ｒ２でガイドプレート３４に当接可能に形成されている。そしてこの大径部位４５は、ガイドプレート３４の回動角範囲Ａ（この例では約９０°）の略中央に突出半径Ｒ２が位置するよう１つだけ備えられている。また、この大径部位４５は回動軸２６周方向の両端部にいわゆる丸み面取りで形成された小径部位４５ａが形成されており、上記突出半径Ｒ２より小さい半径となるこの小径部位４５ａが、回動角範囲Ａの両端限界位置にあるガイドプレート３４，３４′にそれぞれ接触する。
【００２９】
＜回動抑制部の機能＞
以上の構成の回動抑制部２５を備えていることで、本実施形態の縦ガイド部２１における移動部２３のガイドプレート３４にどのような回動操作性が生じるか図１０を参照しつつ説明する。まず、上述したように移動部２３のガイドプレート３４は、図１０（ａ）に示すようなガイドベース３３と直立した閉状態から、図１０（ｃ）に示すようなガイドベース３３と平行な開状態までの約９０°の回動角範囲Ａで回動可能となっている。このうち回動角範囲Ａの両端限界位置にある図１０（ａ）の閉状態と図１０（ｃ）の開状態のそれぞれにおいては、ガイドプレート３４が比較的半径の小さい小径部位４５ａと接触して回動軸２６の中心に対して落ち込む配置となるため比較的安定した状態となっている。
【００３０】
しかし、それら閉状態と開状態との間を切り替える際の遷移状態、つまり図１０（ｂ）に示すような回動途中の状態では、ガイドプレート３４がその最小回動半径Ｒ１よりも少し大きい突出半径Ｒ２に相当する大径部位４５の外周先端部に当接される。このとき、最小回動半径Ｒ１と突出半径Ｒ２との差が適宜の寸法差であることで、金属細線である回動軸２６がたわんでその寸法差分だけガイドプレート３４を外周側に逃がして大径部位４５に乗り上げることにより、ようやく回動させることができる。しかし、この間は回動軸２６のたわみによる力を受けているため比較的不安定な状態となっている。
【００３１】
以上により、ガイドプレート３４を閉状態から開状態へ切り替えるよう回動操作する際、または開状態から閉状態へ切り替えるよう回動操作する際には、ある程度の回動力が必要となる。この必要回動力は、最小回動半径Ｒ１と突出半径Ｒ２との寸法差や、回動抑制部２５の平板部４２の厚み寸法、回動抑制部２５の設置数などにより調整可能であり、適宜の必要回動力とすることで適切なクリック感を伴う回動操作とすることができる。最小回動半径Ｒ１と突出半径Ｒ２との寸法差については、縦ガイド部２１全体の大きさにもよるが、例えば０．２ｍｍ程度にするとよい。また、回動抑制部２５の平板部４２の厚み寸法、及び回動抑制部２５の設置数のそれぞれに比例して必要回動力も増加する。
【００３２】
また、図１０（ｂ）の遷移状態に対して、図１０（ａ）の閉状態と図１０（ｃ）の開状態のそれぞれにおいては、ガイドプレート３４が回動軸２６の中心に対して落ち込んで上記のたわみによる力を受けていない安定した状態であるため、回動操作しない限り（回動力を与えない限り）それぞれの回動位置を安定的に保持できる。
【００３３】
＜連結部の構成＞
図１１は、連結部２４を拡大して示す外観図であり、図１１（ａ）は前方から見た正面図、図１１（ｂ）は上方から見た平面図、図１１（ｃ）は右側方から見た側面図である。この図１１において、連結部２４（第１連結部、第２連結部、第３連結部）は、全体がモールド成形が容易なプラスチックなどの樹脂からなり、ガイドベース３５と、ガイドプレート３６と、上方隙間ガイドプレート３７と、下方隙間ガイドプレート３８と、４つの挿入突起部３９とを一体に有している。ガイドベース３５は、対応する縁部（この例の左縁部１１ｂ）の内面で非移動部２２と移動部２３のそれぞれのガイドベース３１，３３の間に取り付けられる略矩形状の部材である。ガイドプレート３６（第３ガイドプレート）は、非移動部２２と移動部２３のそれぞれのガイドプレート３２，３４の間に配置される略矩形薄板状の部材である。図示する本実施形態の例では、ガイドプレート３６が、ガイドベース３５に対してその後方側（スクリーン５の室外側）の縁部に略直角なＬ字状の配置で固定的（一体的）に設けられている。なお、特に図示しないが、非移動部２２及び移動部２３と併せてガイドベース３５の前方側（スクリーン５の室内側）の縁部にガイドプレート３６を配置してもよい。
【００３４】
上方隙間ガイドプレート（第４ガイドプレート）は、ガイドプレート３６の上方に配置されて当該ガイドプレート３６と非移動部２２のガイドプレート３２との隙間を遮蔽する略矩形薄板状の部材である。下方隙間ガイドプレート（第５ガイドプレート）は、ガイドプレート３６の下方に配置されて当該ガイドプレート３６と移動部２３のガイドプレート３４との隙間を遮蔽する略矩形薄板状の部材である。非移動部２２と連結部２４と移動部２３のそれぞれのガイドプレート３２，３４，３６（移動部２３のガイドプレート３４は閉状態の場合）は互いに表面が面一となるよう配置されているが、上方隙間ガイドプレート３７及び下方隙間ガイドプレート３８はそれぞれ上記３つのガイドプレート３２，３４，３６の間の隙間を後方側から重なる配置で設けられている。
【００３５】
４つの挿入突起部３９は、それぞれ非移動部２２及び移動部２３のガイドベース３１，３３の内部に挿入可能な寸法形状で形成されている。そのうち上方に配置される２つの挿入突起部３９は、非移動部２２のガイドベース３１に対しその下方側から挿入し、当該ガイドベース３１の内部で左縁部１１ｂまたは右縁部１１ｃと挟まれて固定される。また下方に配置される２つの挿入突起部３９は、移動部２３のガイドベース３３に対しその上方側から挿入し、当該ガイドベース３３の内部で左縁部１１ｂまたは右縁部１１ｃと挟まれて固定される。
【００３６】
＜連結部の機能＞
以上のような構成の連結部２４は、図１２に示すように、上方の非移動部２２と下方の移動部２３の間をそれぞれの長手方向に相対位置を変更可能に連結する。ここで、一般的に縦ガイド部２１は額縁１１の高さ寸法に合わせたオーダーメイドで作成される場合が多く、非移動部２２及び移動部２３のそれぞれの長さ寸法もロットごとに個別に設定される。このため、非移動部２２及び移動部２３のそれぞれの長さ寸法に製作誤差が生じる場合があるが、上述したように連結部２４が非移動部２２と移動部２３の間でそれぞれの長手方向に相対位置を変更可能に連結するため、そのような長さ寸法の製作誤差（特に設計値より短い場合の誤差Ｘ）を吸収して縦ガイド部２１全体の長さ寸法を調整できる。またこのように縦ガイド部２１の全長を調整した場合でも、上方隙間ガイドプレート３７と下方隙間ガイドプレート３８がそれぞれ十分な高さ寸法を有していることで、３つのガイドプレート３２，３４，３６の間の遮蔽を確保できる。
【００３７】
＜縦ガイド部の設置工程について＞
以上のような連結部２４の機能を踏まえて、縦ガイド部２１全体を右縁部１１ｃに設置する際の工程について以下に説明する。なお、移動部２３においては、あらかじめガイドベース３３のヒンジ片３３ａにガイドプレート３４のヒンジ片３４ａ及び回動抑制部２５を組み込んで回動軸２６を貫通させ、当該移動部２３の全体が組み上がっていることを前提とする（図３参照）。
【００３８】
まず、第１工程として、移動部２３全体を右縁部１１ｃの下方側に配置し、そのガイドベース３３をビス等で留めることで移動部２３全体を右縁部１１ｃに固定する。
【００３９】
次に、第２工程として、連結部２４の下方に配置される２つの挿入突起部３９を移動部２３のガイドベース３３に対し上方側から挿入し、当該連結部２４を移動部２３に連結する（図３参照）。
【００４０】
次に、第３工程として、連結部２４の上方に配置される２つの挿入突起部３９に対して非移動部２２のガイドベース３１を上方側から挿入させ、当該非移動部２２を連結部２４に連結する（図３参照）。
【００４１】
次に、第４工程として、右縁部１１ｃの高さに合わせて非移動部２２の長手方向の高さ位置を調整する（図１２参照）。この際、非移動部２２と連結部２４との連結状態を維持させたまま、非移動部２２だけ右縁部１１ｃの上方へ配置するよう移動させることができる。
【００４２】
次に、第５工程として、非移動部２２のガイドベース３１をビス等で留めることで非移動部２２全体を右縁部１１ｃに固定する。
【００４３】
以上の第１〜５工程を順に実行することで、製作誤差等により縦ガイド部２１全体の長さが右縁部１１ｃよりも短い場合でも、全体の連結状態を維持しつつ右縁部１１ｃの高さ全体に渡って縦ガイド部２１を設置することができる。
【００４４】
＜本実施形態による効果＞
以上説明したように、本実施形態では、ガイドプレート３４が回動軸２６の中心に対して落ち込む小径部位４５ａと、当該ガイドプレート３４が当接することで回動軸２６の中心に対し乗り上げる大径部位４５とを、回動抑制部２５が備えている。これにより、小径部位４５ａに接触して落ち込んだ状態のガイドプレート３４に対し、回動操作して大径当接部４５に当接させて乗り上げる際にはある程度の回動力が必要となる。この必要回動力を適宜調整することで、適切なクリック感を伴う回動操作とすることができる。
【００４５】
また、本実施形態では特に、回動抑制部２５は、ガイドプレート３４の回動角範囲Ａの略中央に突出半径Ｒ２が位置するよう大径当接部４５を１つだけ備えている。これにより、回動角範囲Ａ中におけるガイドプレート３４の回動保持位置を明確な２段階に区画できる。なお、回動角範囲Ａ中に大径当接部４５を複数設けてもよく、その場合にはガイドプレート３４の回動保持位置を３段階以上に区画できる。
【００４６】
また、本実施形態では特に、ガイドプレート３４は、回動角範囲Ａの両端位置で小径部位４５ａに接触する。これにより、回動角範囲Ａの両端限界位置（本実施形態の例の図１０（ａ）の閉状態と図１０（ｃ）の開状態のそれぞれの回動位置）において、それぞれの回動位置をガタつきなく安定的に保持できる。
【００４７】
また、本実施形態では特に、回動抑制部２５は、移動部２３のガイドベース３３と右縁部１１ｃとの間で挟持される保持部４３を備えている。これにより、ガイドプレート３４の回動操作時に大径当接部４５に当接した際でも、当該大径当接部４５を有する平板部４２がその回動軸２６周りの姿勢、配置を保持部４３により固定される。
【００４８】
なお、上述したように、ガイドベース３３の前方側の縁部に回動軸２６とガイドプレート３４を配置してもよいし、後方側と前方側の両方の縁部にそれぞれ回動軸２６とガイドプレート３４を配置してもよい（特に図示せず）。これらの場合でも、それぞれの回動軸２６の位置に対応して回動抑制部２５を設置することにより、以上と同様の効果を得ることができる。
【００４９】
また、本実施形態では特に、非移動部２２のガイドベース３１と移動部２３のガイドベース３３の間でそれぞれの長手方向で移動自在に連結する連結部２４を有している。これにより、非移動部２２と移動部２３に長さ寸法の製作誤差が生じた場合でも、連結部２４がその製作誤差を吸収して縦ガイド部２１全体の長さ寸法を調整できる。
【００５０】
また、本実施形態では特に、連結部２４は、当該連結部２４に設けた挿入突起部３９を、非移動部２２のガイドベース３１と移動部２３のガイドベース３３のそれぞれと左縁部１１ｂまたは右縁部１１ｃとの間に長手方向に挿入することで連結する。これにより、連結部２４は、非移動部２２のガイドベース３１と移動部２３のガイドベース３３の間における連結を確保しつつ、それぞれの長手方向に対する相対的な位置の調整を実現できる。
【００５１】
また、本実施形態では特に、連結部２４は、スクリーン５と右縁部１１ｃとの隙間を遮蔽するガイドプレート３６と、このガイドプレート３６と非移動部２２のガイドプレート３２との隙間を遮蔽する上方隙間ガイドプレート３７と、連結部２４のガイドプレート３６と移動部２３のガイドプレート３４との隙間を遮蔽する下方隙間ガイドプレート３８と、を有している。これにより、縦ガイド部２１の全長を調整した場合でも、上方隙間ガイドプレート３７と下方隙間ガイドプレート３８がそれぞれ十分な高さ寸法を有していることで、３つのガイドプレート３２，３４，３６の間の遮蔽を確保できる。
【００５２】
また、本実施形態では特に、下方隙間ガイドプレートは、移動部２３のガイドプレート３４の回動範囲と逆側（本実施形態の例の後方側）で連結部２４のガイドプレート３６と移動部２３のガイドプレート３４との隙間と重なるように遮蔽する。これにより、移動部２３のガイドプレート３４は干渉を受けることなく自由に回動できる。また本実施形態のように、連結部２４の全体がモールド成形が容易なプラスチックなどの樹脂で構成されていることで、このようなガイドプレート３６と下方隙間ガイドプレート３８（上方隙間ガイドプレート３７）との間の複雑な段差形状を容易に形成できる。これは、非移動部２２及び移動部２３の各部がアルミニウム等の金属で構成されて上記のような複雑な形状を形成しにくい場合に対して特に好適である。
【００５３】
また、本実施形態では特に、上記第１〜５工程を順に実行して縦ガイド部２１を右縁部１１ｃに設置する。これにより、製作誤差等により縦ガイド部２１全体の長さが右縁部１１ｃよりも短い場合でも、全体の連結状態を維持しつつ右縁部１１ｃの高さ全体に渡って縦ガイド部２１を設置することができる。
【００５４】
なお、以上既に述べた以外にも、上記実施形態や各変形例による手法を適宜組み合わせて利用してもよい。
【００５５】
その他、一々例示はしないが、本発明は、その趣旨を逸脱しない範囲内において、種々の変更が加えられて実施されるものである。
【符号の説明】
【００５６】
１                ロールスクリーン
５                スクリーン（遮蔽部材）
６                ウェイトバー
１１              額縁（枠体）
１１ｃ            右縁部
２０              ガイドレール
２１              縦ガイド部
２２              非移動部
２３              移動部
２４              連結部（第１連結部、第２連結部、第３連結部）
２５              回動抑制部
２６              回動軸
３１              非移動部のガイドベース（第１ガイドベース）
３２              非移動部のガイドプレート（第１ガイドプレート）
３３              移動部のガイドベース（ガイドベース、第２ガイドベース）
３４              移動部のガイドプレート（ガイドプレート、第２ガイドプレート）
３５              連結部のガイドベース
３６              連結部のガイドプレート（第３ガイドプレート）
３７              上方隙間ガイドプレート（第４ガイドプレート）
３８              下方隙間ガイドプレート（第５ガイドプレート）
３９              挿入突起部
４２              平板部
４３              保持部
４５              大径部位
４５ａ            小径部位
【図１】
0006468930.tif 000002
【図２】
0006468930.tif 000003
【図３】
0006468930.tif 000004
【図４】
0006468930.tif 000005
【図５】
0006468930.tif 000006
【図６】
0006468930.tif 000007
【図７】
0006468930.tif 000008
【図８】
0006468930.tif 000009
【図９】
0006468930.tif 000010
【図１０】
0006468930.tif 000011
【図１１】
0006468930.tif 000012
【図１２】
0006468930.tif 000013